(57)【要約】      （修正有）【課題】高い視認性を有するセーフティコーンユニットを提供する。【解決手段】内部スペースと、上面と、底部１０の上面を貫通して形成され、底部１０の内部スペースとつながった底部穴と、を有する空洞の底部１０と、縦方向に伸縮することができ、底部１０と接合され、底部１０の内部スペースに取り付けられた下部と、底部穴から突き出した中間部と、中間部の上部に形成された頂部とを有した伸縮自在部２０と、この伸縮自在部の前記頂部２０に取り付けられた照射部３０と、を備える。【選択図】図１
0003179532.tif 000002
【実用新案登録請求の範囲】
【請求項１】
セーフティコーンユニットであって、
内部スペースと、上面と、底部の上面を貫通して形成され、底部の内部スペースとつながった底部穴と、を有する空洞の底部と、
縦方向に伸縮することができ、底部と安全に接合され、底部の内部スペースに安全に取り付けられた下部と、底部穴から突き出した中間部と、中間部の上部に形成された頂部とを有した伸縮自在部と、
この伸縮自在部の前記頂部に安全に取り付けられた照射部と、
を備えたことを特徴とするセーフティコーンユニット。
【請求項２】
前記伸縮自在部は円錐形で、複数のコーン部材が縦方向に配置され、隣接する2つのコーン部材はそれぞれ上方コーン部材と下方コーン部材と定義され、
それぞれの下方コーン部材は内面と、下方コーン部材の内面の頂部周辺に放射状に形成された環状の溝とを有し、
それぞれの上方コーン部材は、対応するひとつの下方コーン部材の上方に配置され、外面と、上方コーン部材の外面の下部周囲に放射状に突出し、対応するひとつの下方コーン部材の溝に係合する、環状の位置決めリブと、を有していることを特徴とする、請求項１に記載のセーフティコーンユニット。
【請求項３】
前記照射部は、発光ダイオードと、これに電気的に接続されたぜんまい式発電機とを有することを特徴とする、請求項1または2に記載のセーフティコーンユニット。
【請求項４】
前記底部の外面に駆動可能に取り付けられたハンドルを有することを特徴とする、請求項１〜３のいずれかに記載のセーフティコーンユニット。
【請求項５】
前記底部が箱型で、底面は底部の上面の反対側にあり、底部の上面に取り付けられたループ形状の上面リブと、底部の底辺に取り付けられた、上面リブと同様の形状のループ形状の底面リブと、を有し、
当該セーフティコーンユニットの底面リブの外側表面は、別のセーフティコーンユニットの上面リブの内側表面と隣接が可能であることを特徴とする、請求項１〜４のいずれかに記載のセーフティコーンユニット。
【考案の詳細な説明】
【技術分野】
【０００１】
本考案は、セーフティコーンユニットに関し、特に、視認性の高いセーフティコーンユニットに関する。
【背景技術】
【０００２】
従来のこの種のセーフティコーンユニットとしては、図８に示すようなものが知られている。図8に関して、従来のセーフティコーン80は底部81とコーン82と光反射帯83とを有する。底部81は長方形板である。コーン82は底部81の表面に安全に取り付けられる。光反射帯83はコーン82の頂部に安全に取り付けられる。
【０００３】
この従来のセーフティコーン80は、安全な方法で一時的に交通の方向を変えるために、道路や歩道上に設置される標識である。セーフティコーン80は、道路工事計画や自動車事故の間、車線を分離あるいは合流させるためによく使用される。
【０００４】
光反射帯83は光を反射させることができるが、光反射帯83は光を照らすことはない。従って、従来のセーフティコーン80の視認性は約20メートルであり、特に豪雨や濃霧の場合に十分ではない。結果として、従来のセーフティコーン80は、豪雨や濃霧では容易に見えないため、運転手は衝突しやすい。
【０００５】
さらに、従来のセーフティコーン80は大型であり、伸縮自在ではない。複数のセーフティコーンを車のトランクに積むのは容易ではない。これは不便である。
【考案の概要】
【考案が解決しようとする課題】
【０００６】
これらの欠点を克服するために、本考案は先述の問題を緩和させるセーフティコーンユニットを提供するものである。
【０００７】
つまり、本考案の主な目的は、高い視認性を有するセーフティコーンユニットを提供することである。
【課題を解決するための手段】
【０００８】
セーフティコーンユニットは底部と伸縮自在部と照射部とで構成される。底部には内部スペースと、底部表面を貫通して形成される穴とが存在する。伸縮自在部は縦方向に伸縮することが可能で、底部と安全に結合し、下部と中間部と頂部とを有する。
【０００９】
収縮自在部の下部は底部の内部スペースに安全に取り付けられている。伸縮自在部の中間部は底部穴から突き出ている。照射部のLED（発光ダイオード）は伸縮自在部の頂部に安全に取り付けられている。
【考案の効果】
【００１０】
伸縮自在部の頂部に取り付けられたLEDが光を発するため、セーフティコーンユニットが目に見える。セーフティコーンユニットの視認性は良い。
【００１１】
また、上記の記述から、本考案は次の利点を特徴としている。
視認性：
伸縮自在部20の頂部に取り付けられたLED31が照射するため、セーフティコーンユニットは豪雨や濃霧の中でも見ることができる。セーフティコーンユニットは視認性が高い。
【００１２】
容易に積み重ねられる：
伸縮自在部20が伸縮し、底部10に収めることができるため、セーフティコーンユニットは容易に折り畳まれる。上面リブ15と底面リブ16により、本考案による複数のセーフティコーンユニットは容易に積み重ねられ、容易に車のトランクに積むことができる。
【００１３】
安定して直立できる：
セーフティコーンユニットの底部10は箱型で、一方、従来の底部81は板状である。従って、底部10の容積は従来の底部81と比べて大きく、底部10の重量は従来の底部81と比べて重い。結果として、セーフティコーンユニットは安定して直立することが可能である。
【００１４】
手動作業が可能：
ぜんまい式発電機32のばねが約50回回転すると、LED31はおよそ1時間から2時間照射することができる。そのため、LED31は緊急時には手動操作により照射することができる。
【００１５】
本考案のその他の目的、利点、そして今までにない特徴は、次の詳細な説明と関連する図面とによって、より明白となるだろう。
【図面の簡単な説明】
【００１６】
【図１】本考案によるセーフティコーンユニットの斜視図である。
【図２】図1のセーフティコーンユニットの一部分の斜視図である。
【図３】図1のセーフティコーンユニットの拡大された垂直断面図である。
【図４】図1のセーフティコーンユニットの一部分の斜視図で、底部に格納された伸縮自在部を示している。
【図５】図4のセーフティコーンユニットの斜視図である。
【図６】図4のセーフティコーンユニットの背面の斜視図である。
【図７】図4のセーフティコーンユニットの複数が積み重ねられたときの一部分の側面図である。
【図８】先行技術による従来のセーフティコーンの斜視図である。
【考案を実施するための形態】
【００１７】
図1から3に関して、本考案によるセーフティコーンユニットは底部10と伸縮自在部20と照射部30から成る。
【００１８】
図1から3、および6に関して、中が空洞の底部10は箱型で上面11と底面12と底部穴13と内部スペース14とを有する。底部10の底面12は底部10の上面11の反対側にある。底部穴13は円形で、底部10の上面11を貫通して形成されており、底部10の内部スペース14とつながっている。
【００１９】
好ましくは、底部10は上面リブ15と底面リブ16を有する。上面リブ15はループ形状で底部10の上面11に取り付けられる。底面リブ16はループ形状で、上面リブ15と同様の形状をしており、底部10の底面12に取り付けられる。セーフティコーンユニットの底面リブ16の外側表面は、別のセーフティコーンユニットの上面リブ15の内側表面と隣接することが可能である。
【００２０】
図2と3に関して、伸縮自在部20は縦方向に伸縮可能で、底部10と安全に接続されており、下部と中間部と頂部とを有する。伸縮自在部20の下部は底部10の内部スペース14にボルトで安全に取り付けられている。伸縮自在部20の中間部は底部穴13から突き出ている。伸縮自在部20の頂部は伸縮自在部20の中間部の上に形成されている。
【００２１】
好ましくは、伸縮自在部20は円錐形で、縦方向に配置された複数のコーン部材21を有する。隣接する2つのコーン部材21はそれぞれ上方コーン部材と下方コーン部材とに定義される。それぞれの下方コーン部材は内面と溝211を有する。それぞれの下方コーン部材の溝211は環状で、下方コーン部材の内面頂部の周囲に放射状に形成される。
【００２２】
それぞれの上方コーン部材は、対応するひとつの下方コーン部材の上方に配置され、外面と位置決めリブ212を有する。それぞれの上方コーン部材の位置決めリブ212は環状で、上方コーン部材の外面の下部周囲に放射状に突出しており、対応するひとつの下方コーン部材の溝211に係合する。
【００２３】
図2に関して、照射部30はLED（発光ダイオード）31を有する。LED31は伸縮自在部20の頂部、すなわち、コーン部材21の最上部に安全に取り付けられている。好ましくは、照射部30は、LED31と電気的に接続されたぜんまい式発電機32を有する。ぜんまい式発電機32は従来型のもので、詳細な説明は省く。ぜんまい式発電機32のばねが約50回回転すると、LED31はおよそ1時間から2時間照射することができる。そのため、LED31は緊急時には手動操作により照射することができる。
【００２４】
図4と5に関して、本考案によるセーフティコーンユニットの伸縮自在部20は伸縮し、底部10に完全に格納される。さらに、セーフティコーンユニットは、底部10の内部スペース14を閉じるために、底部穴13に取り付けられたカバー40を有する。
【００２５】
好ましくは、セーフティコーンユニットは底部10の外面に駆動可能に取り付けられたハンドル50を有する。ハンドル50によって、使用者はセーフティコーンユニットを簡単に運ぶことができる。
【００２６】
図7に関して、本考案による複数のセーフティコーンユニットは積み重ねられる。セーフティコーンユニットの底面リブ16の外側表面は別のセーフティコーンユニットの上面リブ15の内側表面に隣接する。
【００２７】
上記の記述から、本考案は次の利点を特徴としている。
視認性：
伸縮自在部20の頂部に取り付けられたLED31が照射するため、セーフティコーンユニットは豪雨や濃霧の中でも見ることができる。セーフティコーンユニットは視認性が高い。
【００２８】
容易に積み重ねられる：
伸縮自在部20が伸縮し、底部10に収めることができるため、セーフティコーンユニットは容易に折り畳まれる。上面リブ15と底面リブ16により、本考案による複数のセーフティコーンユニットは容易に積み重ねられ、容易に車のトランクに積むことができる。
【００２９】
安定して直立できる：
セーフティコーンユニットの底部10は箱型で、一方、従来の底部81は板状である。従って、底部10の容積は従来の底部81と比べて大きく、底部10の重量は従来の底部81と比べて重い。結果として、セーフティコーンユニットは安定して直立することが可能である。
【００３０】
手動作業が可能：
ぜんまい式発電機32のばねが約50回回転すると、LED31はおよそ1時間から2時間照射することができる。そのため、LED31は緊急時には手動操作により照射することができる。
【００３１】
先の記述で本考案における多数の特徴と利点が、考案の構造と機能の詳細とともに定義されてはいるが、この開示は一例に過ぎず、特に添付の請求項が示されている表現の、広範で一般的な意味により示される最大限の範囲における考案の本質の範疇で、詳細における形状、サイズ、部品の配置の変更がなされることはあるかもしれない。
【符号の説明】
【００３２】
１０    底部
１１    上面
１２    底面
１３    底部穴
１４    内部スペース
１５    上面リブ
１６    底面リブ
２０    伸縮自在部
２１    コーン部材
２１１  溝
２１２  位置決めリブ
３０    照射部
３１    ＬＥＤ（発光ダイオード）
３２    ぜんまい式発電機
４０    カバー
５０    ハンドル
【図１】
0003179532.tif 000003
【図２】
0003179532.tif 000004
【図３】
0003179532.tif 000005
【図４】
0003179532.tif 000006
【図５】
0003179532.tif 000007
【図６】
0003179532.tif 000008
【図７】
0003179532.tif 000009
【図８】
0003179532.tif 000010
【手続補正書】
【提出日】平成24年8月31日(2012.8.31)
【手続補正１】
【補正対象書類名】実用新案登録請求の範囲
【補正対象項目名】全文
【補正方法】変更
【補正の内容】
【実用新案登録請求の範囲】
【請求項１】
セーフティコーンユニットであって、
内部スペースと、上面と、底部の上面を貫通して形成され、底部の内部スペースとつながった底部穴と、を有する空洞の底部と、
縦方向に伸縮することができ、底部と接合され、底部の内部スペースに取り付けられた下部と、底部穴から突き出した中間部と、中間部の上部に形成された頂部とを有した伸縮自在部と、
この伸縮自在部の前記頂部に取り付けられた照射部と、
を備えたことを特徴とするセーフティコーンユニット。
【請求項２】
前記伸縮自在部は円錐形で、複数のコーン部材が縦方向に配置され、隣接する2つのコーン部材はそれぞれ上方コーン部材と下方コーン部材と定義され、
それぞれの下方コーン部材は内面と、下方コーン部材の内面の頂部周辺に放射状に形成された環状の溝とを有し、
それぞれの上方コーン部材は、対応するひとつの下方コーン部材の上方に配置され、外面と、上方コーン部材の外面の下部周囲に放射状に突出し、対応するひとつの下方コーン部材の溝に係合する、環状の位置決めリブと、を有していることを特徴とする、請求項１に記載のセーフティコーンユニット。
【請求項３】
前記照射部は、発光ダイオードと、これに電気的に接続されたぜんまい式発電機とを有することを特徴とする、請求項1または2に記載のセーフティコーンユニット。
【請求項４】
前記底部の外面に駆動可能に取り付けられたハンドルを有することを特徴とする、請求項１〜３のいずれかに記載のセーフティコーンユニット。
【請求項５】
前記底部が箱型で、底面は底部の上面の反対側にあり、底部の上面に取り付けられたループ形状の上面リブと、底部の底辺に取り付けられた、上面リブと同様の形状のループ形状の底面リブと、を有し、
当該セーフティコーンユニットの底面リブの外側表面は、別のセーフティコーンユニットの上面リブの内側表面と隣接が可能であることを特徴とする、請求項１〜４のいずれかに記載のセーフティコーンユニット。
【手続補正２】
【補正対象書類名】明細書
【補正対象項目名】全文
【補正方法】変更
【補正の内容】
【考案の詳細な説明】
【技術分野】
【０００１】
本考案は、セーフティコーンユニットに関し、特に、視認性の高いセーフティコーンユニットに関する。
【背景技術】
【０００２】
従来のこの種のセーフティコーンユニットとしては、図８に示すようなものが知られている。図8に関して、従来のセーフティコーン80は底部81とコーン82と光反射帯83とを有する。底部81は長方形板である。コーン82は底部81の表面にしっかりと取り付けられる。光反射帯83はコーン82の頂部にしっかりと取り付けられる。
【０００３】
この従来のセーフティコーン80は、安全な方法で一時的に交通の方向を変えるために、道路や歩道上に設置される標識である。セーフティコーン80は、道路工事計画や自動車事故の間、車線を分離あるいは合流させるためによく使用される。
【０００４】
光反射帯83は光を反射させることができるが、光反射帯83は光を照らすことはない。従って、従来のセーフティコーン80の視認性は約20メートルであり、特に豪雨や濃霧の場合に十分ではない。結果として、従来のセーフティコーン80は、豪雨や濃霧では容易に見えないため、運転手は衝突しやすい。
【０００５】
さらに、従来のセーフティコーン80は大型であり、伸縮自在ではない。複数のセーフティコーンを車のトランクに積むのは容易ではない。これは不便である。
【考案の概要】
【考案が解決しようとする課題】
【０００６】
これらの欠点を克服するために、本考案は先述の問題を緩和させるセーフティコーンユニットを提供するものである。
【０００７】
つまり、本考案の主な目的は、高い視認性を有するセーフティコーンユニットを提供することである。
【課題を解決するための手段】
【０００８】
セーフティコーンユニットは底部と伸縮自在部と照射部とで構成される。底部には内部スペースと、底部表面を貫通して形成される穴とが存在する。伸縮自在部は縦方向に伸縮することが可能で、底部としっかりと結合し、下部と中間部と頂部とを有する。
【０００９】
収縮自在部の下部は底部の内部スペースにしっかりと取り付けられている。伸縮自在部の中間部は底部穴から突き出ている。照射部のLED（発光ダイオード）は伸縮自在部の頂部にしっかりと取り付けられている。
【考案の効果】
【００１０】
伸縮自在部の頂部に取り付けられたLEDが光を発するため、セーフティコーンユニットが目に見える。セーフティコーンユニットの視認性は良い。
【００１１】
また、上記の記述から、本考案は次の利点を特徴としている。
視認性：
伸縮自在部20の頂部に取り付けられたLED31が照射するため、セーフティコーンユニットは豪雨や濃霧の中でも見ることができる。セーフティコーンユニットは視認性が高い。
【００１２】
容易に積み重ねられる：
伸縮自在部20が伸縮し、底部10に収めることができるため、セーフティコーンユニットは容易に折り畳まれる。上面リブ15と底面リブ16により、本考案による複数のセーフティコーンユニットは容易に積み重ねられ、容易に車のトランクに積むことができる。
【００１３】
安定して直立できる：
セーフティコーンユニットの底部10は箱型で、一方、従来の底部81は板状である。従って、底部10の容積は従来の底部81と比べて大きく、底部10の重量は従来の底部81と比べて重い。結果として、セーフティコーンユニットは安定して直立することが可能である。
【００１４】
手動作業が可能：
ぜんまい式発電機32のばねが約50回回転すると、LED31はおよそ1時間から2時間照射することができる。そのため、LED31は緊急時には手動操作により照射することができる。
【００１５】
本考案のその他の目的、利点、そして今までにない特徴は、次の詳細な説明と関連する図面とによって、より明白となるだろう。
【図面の簡単な説明】
【００１６】
【図１】本考案によるセーフティコーンユニットの斜視図である。
【図２】図1のセーフティコーンユニットの一部分の斜視図である。
【図３】図1のセーフティコーンユニットの拡大された垂直断面図である。
【図４】図1のセーフティコーンユニットの一部分の斜視図で、底部に格納された伸縮自在部を示している。
【図５】図4のセーフティコーンユニットの斜視図である。
【図６】図4のセーフティコーンユニットの背面の斜視図である。
【図７】図4のセーフティコーンユニットの複数が積み重ねられたときの一部分の側面図である。
【図８】先行技術による従来のセーフティコーンの斜視図である。
【考案を実施するための形態】
【００１７】
図1から3に関して、本考案によるセーフティコーンユニットは底部10と伸縮自在部20と照射部30から成る。
【００１８】
図1から3、および6に関して、中が空洞の底部10は箱型で上面11と底面12と底部穴13と内部スペース14とを有する。底部10の底面12は底部10の上面11の反対側にある。底部穴13は円形で、底部10の上面11を貫通して形成されており、底部10の内部スペース14とつながっている。
【００１９】
好ましくは、底部10は上面リブ15と底面リブ16を有する。上面リブ15はループ形状で底部10の上面11に取り付けられる。底面リブ16はループ形状で、上面リブ15と同様の形状をしており、底部10の底面12に取り付けられる。セーフティコーンユニットの底面リブ16の外側表面は、別のセーフティコーンユニットの上面リブ15の内側表面と隣接することが可能である。
【００２０】
図2と3に関して、伸縮自在部20は縦方向に伸縮可能で、底部10としっかりと接続されており、下部と中間部と頂部とを有する。伸縮自在部20の下部は底部10の内部スペース14にボルトでしっかりと取り付けられている。伸縮自在部20の中間部は底部穴13から突き出ている。伸縮自在部20の頂部は伸縮自在部20の中間部の上に形成されている。
【００２１】
好ましくは、伸縮自在部20は円錐形で、縦方向に配置された複数のコーン部材21を有する。隣接する2つのコーン部材21はそれぞれ上方コーン部材と下方コーン部材とに定義される。それぞれの下方コーン部材は内面と溝211を有する。それぞれの下方コーン部材の溝211は環状で、下方コーン部材の内面頂部の周囲に放射状に形成される。
【００２２】
それぞれの上方コーン部材は、対応するひとつの下方コーン部材の上方に配置され、外面と位置決めリブ212を有する。それぞれの上方コーン部材の位置決めリブ212は環状で、上方コーン部材の外面の下部周囲に放射状に突出しており、対応するひとつの下方コーン部材の溝211に係合する。
【００２３】
図2に関して、照射部30はLED（発光ダイオード）31を有する。LED31は伸縮自在部20の頂部、すなわち、コーン部材21の最上部にしっかりと取り付けられている。好ましくは、照射部30は、LED31と電気的に接続されたぜんまい式発電機32を有する。ぜんまい式発電機32は従来型のもので、詳細な説明は省く。ぜんまい式発電機32のばねが約50回回転すると、LED31はおよそ1時間から2時間照射することができる。そのため、LED31は緊急時には手動操作により照射することができる。
【００２４】
図4と5に関して、本考案によるセーフティコーンユニットの伸縮自在部20は伸縮し、底部10に完全に格納される。さらに、セーフティコーンユニットは、底部10の内部スペース14を閉じるために、底部穴13に取り付けられたカバー40を有する。
【００２５】
好ましくは、セーフティコーンユニットは底部10の外面に駆動可能に取り付けられたハンドル50を有する。ハンドル50によって、使用者はセーフティコーンユニットを簡単に運ぶことができる。
【００２６】
図7に関して、本考案による複数のセーフティコーンユニットは積み重ねられる。セーフティコーンユニットの底面リブ16の外側表面は別のセーフティコーンユニットの上面リブ15の内側表面に隣接する。
【００２７】
上記の記述から、本考案は次の利点を特徴としている。
視認性：
伸縮自在部20の頂部に取り付けられたLED31が照射するため、セーフティコーンユニットは豪雨や濃霧の中でも見ることができる。セーフティコーンユニットは視認性が高い。
【００２８】
容易に積み重ねられる：
伸縮自在部20が伸縮し、底部10に収めることができるため、セーフティコーンユニットは容易に折り畳まれる。上面リブ15と底面リブ16により、本考案による複数のセーフティコーンユニットは容易に積み重ねられ、容易に車のトランクに積むことができる。
【００２９】
安定して直立できる：
セーフティコーンユニットの底部10は箱型で、一方、従来の底部81は板状である。従って、底部10の容積は従来の底部81と比べて大きく、底部10の重量は従来の底部81と比べて重い。結果として、セーフティコーンユニットは安定して直立することが可能である。
【００３０】
手動作業が可能：
ぜんまい式発電機32のばねが約50回回転すると、LED31はおよそ1時間から2時間照射することができる。そのため、LED31は緊急時には手動操作により照射することができる。
【００３１】
先の記述で本考案における多数の特徴と利点が、考案の構造と機能の詳細とともに定義されてはいるが、この開示は一例に過ぎず、特に添付の請求項が示されている表現の、広範で一般的な意味により示される最大限の範囲における考案の本質の範疇で、詳細における形状、サイズ、部品の配置の変更がなされることはあるかもしれない。
【符号の説明】
【００３２】
１０    底部
１１    上面
１２    底面
１３    底部穴
１４    内部スペース
１５    上面リブ
１６    底面リブ
２０    伸縮自在部
２１    コーン部材
２１１  溝
２１２  位置決めリブ
３０    照射部
３１    ＬＥＤ（発光ダイオード）
３２    ぜんまい式発電機
４０    カバー
５０    ハンドル